(57)【要約】【課題】電気用絶縁シートとしての本来の保安（絶縁）機能を失することなく、その耐用性の向上を図る。【解決手段】充電電路等の部位を感電防止のために覆蓋する電気用絶縁シート１であって、該電気用絶縁シート１のシート本体２が折り畳まれる折り目部位の交差部位に対しその表裏面に該シート本体２と同材質からなる当て生地部材５、５を装着したものである。【選択図】  図１
2005073304.tif 000002
【特許請求の範囲】
【請求項１】
充電電路等の部位を感電防止のために覆蓋する電気用絶縁シートであって、該電気用絶縁シートのシート本体が折り畳まれる折り目部位の交差部位に対しその表裏面に該シート本体と同材質からなる当て生地部材を装着してなるを特徴とする電気用絶縁シート。
【請求項２】
請求項１の記載の電気用絶縁シートであって、当て生地部材をシート本体のほぼ中央部に装着してなるを特徴とする電気用絶縁シート。
【発明の詳細な説明】
【０００１】
【発明が属する技術分野】
本発明は、高圧な充電電路に接近して種々の電気工事等の作業を行う場合において、該充電電路等の部位を感電防止のために覆蓋する電気用絶縁シートに関するものである。
【０００２】
【従来の技術】
一般に、この種の電気用絶縁シートにあっては、電気工事における絶縁用保護具として所定の規格に基づいて製作されるものであって、絶縁良好な合成樹脂製のシート体を複数枚層状に重合し、その表裏に支持面としての同じく合成樹脂製の表裏シート体をそれぞれ重合したシート本体を所定の大きさのほぼ矩形状に形成されていた。そして、上記した電気用絶縁シートにあっては、電気工事の作業に際し、そのシート本体全体をその形状（矩形状）に展開した状態でその作業近傍の絶縁すべき部位を覆蓋して感電防止のための保安手段（保安具）として使用されるものであり、その使用後には該シート本体を少なくとも四つ折りに折り畳んで収納保管するようにしていた。
なお、この電気用絶縁シートにあっては一般的であるので、とくに、特許文献としての調査は行っていない。
【０００３】
【発明が解決しようとする課題】
しかしながら、上記したように、電気用絶縁シートは、その使用毎に該シート本体を展開したり折り畳んだりするため、その折り畳み部位（折り畳み線）、とくに、折り畳み部位（折り目）が交差する部位（矩形状のほぼ中央部位）が損傷し易くなり、長期にわたる繰り返しの動作によって、該折り目が交差する部位（矩形状のほぼ中央部位）が損傷されてしまい、その結果、電気用絶縁シートとしての本来の保安（絶縁）機能が損ねられる等その耐用性に欠ける等の問題点を生起するものであった。
そこで、本発明は、上記した問題点に鑑み、電気用絶縁シートとしての本来の保安（絶縁）機能を失することなく、その耐用性の向上を図ることができる電気用絶縁シートを提供することを目的とする。
【０００４】
【課題を解決するための手段】
上記した課題を達成するために、本発明の請求項１の発明は、充電電路等の部位を感電防止のために覆蓋する電気用絶縁シートであって、該シート本体のシート本体が折り畳まれる折り畳み部位の交差部位に対しその表裏面に該シート本体と同材質からなる当て生地部材を装着してなるを要旨とする。
【０００５】
この構成によれば、シート本体における折り畳まれる折り目部位の交差部位を当て生地部材によりその表裏から保護することができる。
このことによってシート本体、すなわち、電気用絶縁シート自体を、本来の保安（絶縁）機能を失することなく、その耐用性の向上を図ることができるものである。
【０００６】
また、本発明の請求項２の発明は、請求項１の記載の電気用絶縁シートであって、当て生地部材をシート本体のほぼ中央部に装着してなるを要旨とする。
【０００７】
この構成によれば、シート本体のほぼ中央部を当て生地部材によりその表裏から保護する、すなわち、シート本体を、四つ折りに折り畳んで収納保管する場合にあっては、とくに損傷し易い部位を確実に保護することができ、電気用絶縁シート自体を、本来の保安（絶縁）機能を失することなく、その耐用性の向上を図ることができるものである。
【０００８】
【発明の実施の形態】
以下、本発明の実施の形態について図にしたがって説明する。
図において、電気用絶縁シート１は、そのシート本体２を主体として構成されており、このシート本体２は、絶縁性に富む合成樹脂からなるシート体２ａ〜２ａを複数枚層状に重合し、その表裏に電気用絶縁シート１の支持面として同じく絶縁性に富む合成樹脂からなる表裏のシート体２ｂ、２ｂをそれぞれ重合して所定の厚さでかつ所定の大きさのほぼ矩形状に形成されている。
【０００９】
なお、シート本体２は、電気用絶縁シート１として所定の絶縁耐力、充電電流、引張り強さ、引裂強さ、耐寒性、耐吸水性、耐疲労性等を満足するように構成されるものである。
【００１０】
前記シート本体２の表裏のシート体２ｂ、２ｂ面には、それぞれの隅部（４隅角部）において緊締用のゴム紐（図示しない）を挿通固止するための取付け穴３〜３が形成され、また、その四辺の側縁部には、対の面ファスナー４ａ〜４ａ、４ｂ〜４ｂがそれぞれ溶着等の手段により装設されている。
【００１１】
そして、前記シート本体２の表裏のシート体２ｂ、２ｂ面のほぼ中央部には、該表裏のシート体２ｂ、２ｂと同様の絶縁性に富む合成樹脂から所望の大きさでかつ所望の厚さのほぼ矩形状に形成された当て生地部材５、５が溶着等の手段により装着されている。
【００１２】
また、前記シート本体２における表のシート体２ｂ面の一部には、絶縁用保護具の定期自主検査の検査終了確認印等を付する表示部６が所望の大きさの矩形状に形成され、前記表のシート体２ｂ面上の表示面６ａと、該表示面６ａを上面から覆う合成樹脂製の透明のカバー片６ｂとからなり、その表示面６ａの周辺部位とカバー片６ｂの周辺部位には対の面ファスナー７ａ、７ｂが溶着等の手段によりそれぞれ装着されている。
これによって、該カバー片６ｂが表示面６ａに対して対の面ファスナー７ａ、７ｂによって一体的に装着されるもので、表示部６における表示面６ａに付された検査終了確認印等を消失しないように保護することができる。なお、カバー片６ｂは対の面ファスナー７ａ、７ｂを解離することにより表示面６ａの上面を開放するものである。
【００１３】
本実施の形態のおける電気用絶縁シート１は、上述のように構成されたものであり、その使用時においては、シート本体２全体をその形状（矩形状）に展開した状態で、その電気工事の作業近傍の絶縁すべき部位に対して４隅の取付け穴３〜３に挿通固止される緊締用のゴム紐（図示しない）及び対の面ファスナー４ａ〜４ａ、４ｂ〜４ｂ等を利用して覆蓋し、その作業における感電防止のための保安具として使用されるものである。
【００１４】
そして、その作業が終了して電気用絶縁シート１を収納保管する場合、すなわち、使用後は、該電気用絶縁シート１を構成するシート本体２を少なくとも四つ折り状態に折り畳んで収納保管するものである。
【００１５】
本実施の形態においては、シート本体２の表裏のシート体２ｂ、２ｂ面のほぼ中央部に該表裏のシート体２ｂ、２ｂと同様の絶縁性に富む合成樹脂から所望の大きさでかつ所望の厚さのほぼ矩形状に形成された当て生地部材５、５が装着されているので、該シート本体２を四つ折りに折り畳んで収納保管する場合にあっては、とくに損傷し易い部位、すなわち、四つ折り時の折り目（図１において、破線Ｙ、Ｙで示す。）が交差する中央部位を該当て生地部材５、５により確実に保護することができる。
これによって、電気用絶縁シート１自体を、本来の保安（絶縁）機能を失することなく、その耐用性を大幅に向上するものである。
【００１６】
そして、本実施の形態においては、絶縁用保護具の定期自主検査の検査終了確認印等を付する表示部６における表示面６ａ上面を透明のカバー片６ｂを該シート本体２に一体的に装着して保護するものであるから、このカバー片６ｂにより表示部６における表示面６ａに付された検査終了確認印等を消失しないように保護することができ、従来にあって、単に、シート本体の上面に対し定期自主検査の検査終了確認印等を付していたために、該検査終了確認印等が消えてしまいその記録の確認ができないという問題点を解消することができる。
【００１７】
なお、本実施の形態においては、電気用絶縁シート１及び当て生地部材５、５の形状をそれぞれ矩形状に形成した場合について説明したが、この形状は、これに限定するものではなく、とくに、当て生地部材５、５については、種々の形状のものが採用できる。また、電気用絶縁シート１に対する当て生地部材５、５の装着位置についてもほぼ中央位置に限定するものではなく、その折り畳み状態によって、他の折り畳み部の折り目部位に装着することもできる。さらに、電気用絶縁シート１に対する当て生地部材５、５の装着手段あっても、溶着等に限定するものではなく、他の種々の手段を採用することができる。
【００１８】
【発明の効果】
請求項１に記載の発明にあっては、シート本体における折り畳まれる折り目部位の交差部位を当て生地部材によりその表裏から保護することができ、該シート本体、すなわち、電気用絶縁シート自体を、本来の保安（絶縁）機能を失することなく、その耐用性の向上を図ることができる。
【００１９】
請求項２に記載の発明にあっては、とくに損傷し易い部位を確実に保護することができ、電気用絶縁シート自体を、本来の保安（絶縁）機能を失することなく、その耐用性の向上を図ることができる。
【図面の簡単な説明】
【図１】本実施の形態における電気用絶縁シートの斜視図である。
【図２】図１のＡ−Ａ断面図である。
【符号の説明】
１  電気用絶縁シート
２  シート本体
５  当て生地部材
【図１】
2005073304.tif 000003
【図２】
2005073304.tif 000004